(57)【要約】【課題】水噴霧ノズルに取水用のホースを簡単にかつ安定的に接続できるようにして水漏れを防止できるようにしたノズル接続アダプター及びそれを使用して噴霧量の測定がより正確にできるトンネル内水噴霧装置の噴霧量測定装置を提供する。【解決手段】トンネル内水噴霧装置の噴霧量測定装置は噴霧水の流量を測定する流量測定器と取水ホースを備えており、取水ホースの一端に取り付けられるノズル接続アダプター(21)は水噴霧ノズル(32)に接続する接続口(220)を有するアダプター本体(22)とアダプター本体(22)の接続口(220)側に取り付けられている接続固定具(23)とを備え、接続固定具(23)は接続口(220)に接続される水噴霧ノズル(32)に固定することができ、接続固定具(23)には接続固定具(23)を水噴霧ノズル(32)に固定するときに水噴霧ノズル(32)の係合要素（段部）(322)と係合するノズル係合部(234,234a)が形成されている。【選択図】図４
2012125347.tif 000002
【特許請求の範囲】
【請求項１】
トンネル内水噴霧装置の噴霧量測定装置に使用するノズル接続アダプターであって、
流量測定器(1)に接続されるホース(2,20)に取り付けられ、トンネル内水噴霧装置(3)の水噴霧ノズル(32)に接続する接続口(220)を有するアダプター本体(22)と、
該アダプター本体(22)の接続口(220)側に取り付けられている接続固定具(23)と、
を備えており、
前記接続固定具(23)は、前記接続口(220)に接続される水噴霧ノズル(32)に固定することができ、
前記接続固定具(23)には、接続固定具(23)を水噴霧ノズル(32)に固定するときに水噴霧ノズル(32)の係合要素(322)と係合するノズル係合要素(234,234a)が形成されている、
ノズル接続アダプター。
【請求項２】
トンネル内水噴霧装置の噴霧量測定装置に使用するノズル接続アダプターであって、
流量測定器(1)に接続されるホース(2,20)に取り付けられ、トンネル内水噴霧装置(3)の水噴霧ノズル(32)に接続する接続口(220)を有するアダプター本体(22)と、
該アダプター本体(22)の接続口(220)側に取り付けられている接続固定具(23)と、
を備えており、
前記アダプター本体(22)は、係合要素(223)を有し、
前記接続固定具(23)は、開閉動が自在な所要数の可動構成体(233,233a)と、該可動構成体(233,233a)を閉じた状態で連結する連結手段(238)を有し、
前記可動構成体(233,233a)には、可動構成体(233,233a)を閉じたときに、前記アダプター本体(22)の係合要素(223)と係合する本体係合要素(235,235a)と、前記接続口(220)に接続される水噴霧ノズル(32)の係合要素(322)と係合するノズル係合要素(234,234a)が形成されている、
ノズル接続アダプター。
【請求項３】
トンネル内水噴霧装置(3)の水噴霧ノズル(32)から噴霧される噴霧水の流量を測定する流量測定器(1,7)と、
一端側に請求項１又は２記載のノズル接続アダプター(21)が取り付けられ、他端側に前記流量測定器(1,7)に接続する接続具(24)を有する取水ホース(2)と、
を備えている、
トンネル内水噴霧装置の噴霧量測定装置。
【請求項４】
流量測定器(1,7)が、取水ホース(2)が接続される所要数の給水管(12,12a,12b)と、該給水管(12,12a,12b)から供給される噴霧水に含まれる泡を消す消泡手段(14,14a,14b,14c,70)及び供給される噴霧水の流量を測定する流量測定手段(13,76)を備えている、
請求項３記載のトンネル内水噴霧装置の噴霧量測定装置。
【発明の詳細な説明】
【技術分野】
【０００１】
本発明は、ノズル接続アダプター及びそれを使用したトンネル内水噴霧装置の噴霧量測定装置に関するものである。更に詳しくは、水噴霧ノズルに取水用のホースを簡単にかつ安定的に接続できるようにし、水漏れを防止できるようにしたノズル接続アダプター及びそれを使用して噴霧量の測定がより正確にできるトンネル内水噴霧装置の噴霧量測定装置に関する。
【背景技術】
【０００２】
例えば高速道路のトンネル等、長さが長大で、交通量が多い一定規格以上のトンネルには、交通事故等による車両火災の発生に備えて、消火設備である水噴霧装置が設置されている。この水噴霧装置は、トンネルの長さ方向に所要の間隔で設けられた多数の水噴霧ノズルを備えている。水噴霧装置が火災による煙や高熱を感知すると、その区画の自動弁が開き、各水噴霧ノズルから一斉に水が噴霧され、火災を沈静化することができる。
【０００３】
この水噴霧装置は、正常に機能するかどうかの点検を通常は一年ごとに定期的に行う必要がある。以前は、危険防止のために交通を遮断し、実際にトンネル内に各水噴霧ノズルから水を噴霧して点検を行っていたが、近年においては、噴霧量の測定等の点検をトンネル内に実際に水を噴霧することなくできるようにし、点検に際して交通を遮断する必要がない点検装置が種々提案されている（特許文献１及び特許文献２参照）。
【０００４】
特許文献１記載の水噴霧点検装置は、水噴霧ノズルから噴霧される水を集水容器により収集し、これを気液分離装置及び流量計に流通させた後、導水管及び排水ノズルを通じて道路脇の排水溝に排出するように構成され、流量計はフロート式の流量計から構成され、流量計には上方に延びかつ上端部分に圧力開放用の開口を備えた水の導出部が設けられており、導出部には途中部分に下向きに分岐する排出部が設けられており、流量計において本体を経た水は導出部から排出部を通じて排出され、コンパクトな構成で水噴霧ノズルからの放水量を適切に測定できるというものである。
【０００５】
特許文献２記載の水噴霧量測定装置は、噴霧カバー、導水管及び水流切替器を備え、水流切替器は円筒形のケーシングの上部に水流入口が形成され、下部に二つの水排出口が形成され、ケーシングの内部にはケーシングの端面と平行な二枚の円板材と各円板材間に位置する二枚の平板材からなる漏斗状の弁部材をケーシングの軸心回りに回動自在に設け、弁部材を回動させることにより水流入口と一方の水排出口とが連通する状態と水流入口ともう一方の水排出口が連通する状態に流路を切り替えるもので、トンネル内水噴霧設備の水噴霧量を無駄な水噴霧を行なうことなく正確に測定することができ、構成が簡略で運搬や移動が容易にできるというものである。
【先行技術文献】
【特許文献】
【０００６】
【特許文献１】特開２００４−２０４９０
【０００７】
【特許文献２】特開２００７−３１９５４８
【発明の概要】
【発明が解決しようとする課題】
【０００８】
前記従来の各装置は、水の噴霧量の測定等の点検をトンネル内に実際に水を噴霧することなくできるようにし、点検に際して交通を遮断する必要がないようにする点においては十分に有用であるが、次のような課題があった。
すなわち、いずれの装置も、水噴霧ノズルに接続する取水部には、ノズルを囲むように取り付けられる袋状の容器が採用されている。このような袋状の取水部は、水噴霧ノズルに対する取り付けが不安定であるために、水密状態で接続することは困難であり、取水部から水漏れが生じ、噴霧量を正確に測定できないおそれがあった。
【０００９】
しかも、取水部が取水部自身の重さやホースの重さ或いは水圧の影響等でノズルから外れることを防止するために、ホース又は取水部をワイヤ等で吊り下げて荷重負担を低減する構成となっていた。このため、点検作業においては、作業車でトンネル内を移動しながら、水噴霧ノズルが設けられている箇所ごとに吊り下げ用のワイヤ等をトンネルの天部等に取り付けたり取り外したりする手間がかかる作業を行わなければならず、この作業は、点検作業を効率化する上でのネックとなっていた。
【００１０】
本発明の目的は、トンネル内水噴霧装置の噴霧量測定装置において、水噴霧ノズルに取水用のホースを簡単にかつ安定的に接続できるようにして水漏れを防止できるようにしたノズル接続アダプター及びそれを使用して噴霧量の測定がより正確にできるトンネル内水噴霧装置の噴霧量測定装置を提供することである。
【課題を解決するための手段】
【００１１】
上記課題を解決するために本発明が講じた手段は次のとおりである。
（１）本発明は、
トンネル内水噴霧装置の噴霧量測定装置に使用するノズル接続アダプターであって、
流量測定器に接続されるホースに取り付けられ、トンネル内水噴霧装置の水噴霧ノズルに接続する接続口を有するアダプター本体と、
該アダプター本体の接続口側に取り付けられている接続固定具と、
を備えており、
前記接続固定具は、前記接続口に接続される水噴霧ノズルに固定することができ、
前記接続固定具には、接続固定具を水噴霧ノズルに固定するときに水噴霧ノズルの係合要素と係合するノズル係合要素が形成されている、
ノズル接続アダプターである。
【００１２】
（２）本発明は、
トンネル内水噴霧装置の噴霧量測定装置に使用するノズル接続アダプターであって、
流量測定器に接続されるホースに取り付けられ、トンネル内水噴霧装置の水噴霧ノズルに接続する接続口を有するアダプター本体と、
該アダプター本体の接続口側に取り付けられている接続固定具と、
を備えており、
前記アダプター本体は、係合要素を有し、
前記接続固定具は、開閉動が自在な所要数の可動構成体と、該可動構成体を閉じた状態で連結する連結手段を有し、
前記可動構成体には、可動構成体を閉じたときに、前記アダプター本体の係合要素と係合する本体係合要素と、前記接続口に接続されるノズルの係合要素と係合するノズル係合要素が形成されている、
ノズル接続アダプターである。
【００１３】
（３）本発明は、
トンネル内水噴霧装置の水噴霧ノズルから噴霧される噴霧水の流量を測定する流量測定器と、
一端側に前記（１）又は（２）のノズル接続アダプターが取り付けられ、他端側に前記流量測定器に接続する接続具を有する取水ホースと、
を備えている、
トンネル内水噴霧装置の噴霧量測定装置である。
【００１４】
（４）本発明は、
流量測定器が、取水ホースが接続される所要数の給水管と、該給水管から供給される噴霧水に含まれる泡を消す消泡手段及び供給される噴霧水の流量を測定する流量測定手段を備えている、
前記（３）のトンネル内水噴霧装置の噴霧量測定装置である。
【００１５】
（作用）
本発明に係るノズル接続アダプター及びそれを使用したトンネル内水噴霧装置の噴霧量測定装置の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１６】
トンネル内に設置されているトンネル内水噴霧装置(3)の送水管に一定間隔で設けられている水噴霧部の水噴霧ノズル(32)と流量測定器(1)の間に取水ホース(2)を接続する。ノズル接続アダプター(21)の接続においては、アダプター本体(22)の接続口(220)を水噴霧ノズル(32)に嵌め入れ、接続固定具(23)の可動構成体(233,233a)を閉じる。
【００１７】
これにより、可動構成体(233,233a)の本体係合要素(235a)がアダプター本体(22)の係合要素(223)と係合し、ノズル係合要素(234a)が水噴霧ノズル(32)の係合要素(322)と係合する。このように、ノズル接続アダプター(21)によれば、水噴霧ノズル(32)と取水ホース(2)のノズル接続アダプター(21)を水密状態で機械的に接続することができ、接続作業を簡単に行うことができると共に接続部が緩んだりすることがなく安定している。
【００１８】
取水ホース(2)を接続した点検対象となる各水噴霧ノズル(32)に送水し、各水噴霧ノズル(32)から水を噴霧する。噴霧された水は各取水ホース(2)を通り、流量測定器(1)の水槽(10)内部へ供給される。水は、継続的に堰部(106)から外部へ排出されることにより、水位がほぼ一定に保たれる。そして、水位が流量測定手段(13)によって測定され、この水位の測定値が流量に換算され、噴霧水の流量が測定される。
【発明の効果】
【００１９】
本発明は、トンネル内水噴霧装置の噴霧量測定装置において、水噴霧ノズルに取水用のホースを接続する際に、接続固定具による接続作業は比較的単純な作業で機械的に行うことができる。したがって、水噴霧ノズルへの取水用のホースの接続を簡単かつ安定的に行うことができると共に水漏れを防止することができるようにしたノズル接続アダプター及びそれを使用して噴霧量の測定がより正確にできるトンネル内水噴霧装置の噴霧量測定装置を提供することができる。
【図面の簡単な説明】
【００２０】
【図１】本発明に係るノズル接続アダプターの一実施の形態を示し接続固定具を閉じた状態の斜視図。
【図２】図１に示すノズル接続アダプターの接続固定具を開いた状態の斜視図。
【図３】ノズル接続アダプターをトンネル内水噴霧装置の水噴霧ノズルに接続した状態を示す断面説明図。
【図４】本発明に係る噴霧量測定装置の構造を示すと共にその使用状態を示す説明図。
【図５】噴霧量測定装置を構成する流量測定器の構造を示す斜視図。
【図６】噴霧量測定装置を構成する流量測定器の他の実施例を示す斜視図。
【発明を実施するための形態】
【００２１】
本発明を図面に示した実施の形態に基づき詳細に説明する。
まず、図１乃至図３を参照して、後述する噴霧量測定装置Ａを構成する取水ホース２に使用するノズル接続アダプター２１の構造を説明する。
【００２２】
ノズル接続アダプター２１は、トンネル内水噴霧装置３の水噴霧ノズル３２に接続する接続口２２０を有するアダプター本体２２と、このアダプター本体２２の接続口２２０側に設けられている接続固定具２３を備えている。ノズル接続アダプター２１は、後述する流量測定器１に接続される取水ホース２を構成し、ホース２０の一端側に取り付けられるものである。
【００２３】
アダプター本体２２は、ほぼ円管状の管体２２１を有している。管体２２１内径部は、径小部２２１ａと径大部２２１ｂを有している。径小部２２１ａの接続口２２０側には、全周に径大になるように嵌入部２２５が形成されている。嵌入部２２５には、ゴム製のパッキン２２６が嵌め込まれている。パッキン２２６は、外径部が断面円形状であり、内径部が断面六角形状の空間部となっている。なお、パッキン２２６の内径部の対角線長は、径小部２２１ａの直径よりやや短くなるよう設定されており、水噴霧ノズル３２の断面六形の嵌入部３２１を隙間なく嵌め入れることができるようにしてある（図２参照）。
【００２４】
管体２２１の外側には、フランジ具２２２が固着されている。管体２２１の接続口２２０側の外周部はやや径小に形成され、その直径船方向に相対する両側には、係合要素である係合凹部２２３（図１、図２では向こう側の係合凹部２２３は見えない）が形成されている。各係合凹部２２３は、奥側の直線状の面が互いに平行になるように所要深さに切り込まれて形成されている。管体２２１の外周部において各係合凹部２２３の間には、後述する固定台２３０と対向する側に係合凹部２２３と同様の係合凹部２２４（図３参照）が形成されている。各係合凹部２２３と係合凹部２２４の奥側の直線状の面は、互いに直角になるようにしてある。
【００２５】
管体２２１の接続口２２０側には、接続固定具２３が取り付けられている。接続固定具２３は、管体２２１の外周部の係合凹部２２４の対向側に固定用ネジ２３１で固定された固定台２３０を有している。固定台２３０は、固定用ネジ２３１による取付部を中心に回らないように、図１、図２において下面側を管体２２１の接続口２２０側の径小部を形成する段部（符号省略）に当接させてある。
【００２６】
固定台２３０の両側には、可動構成体２３３、２３３ａが軸体２３２を介して開閉動ができるように取り付けられている。可動構成体２３３、２３３ａは、それぞれ本体係合板２３５とノズル係合板２３４を有している。本体係合板２３５は本体係合要素を構成し、ノズル係合板２３４はノズル係合要素を構成する。可動構成体２３３、２３３ａの本体係合板２３５とノズル係合板２３４は、複数設けられたスペーサ２３６を介し平行に固定され、基端側が固定台２３０を挟むようにして軸体２３２で軸着されている。
【００２７】
各ノズル係合板２３４の閉じ方向側には、可動構成体２３３、２３３ａが閉じたときに、水噴霧ノズル３２の嵌入部３２１の噴霧口３２０とは反対側の係合要素である段部３２２と係合する、縁部がほぼ半円形状のノズル係合部２３４ａが形成されている。各本体係合板２３５は、各ノズル係合板２３４から外側へやや張り出すように形成されており、その閉じ方向側には、可動構成体２３３、２３３ａが閉じたときに管体２２１の各係合凹部２２３と係合する縁部が直線状の本体係合部２３５ａが形成されている。また、本体係合部２３５ａの延長上の終端側には、前記係合凹部２２４と係合する本体係合部２３５ｂが形成されている。
【００２８】
可動構成体２３３側の本体係合板２３５とノズル係合板２３４の先端部には、板体を適宜折曲して形成された先端受具２３７が固着されている。先端受具２３７の先端部には、締付ネジ２３８が回転自在に貫通して取り付けられている。締付ネジ２３８の先部には、ネジ部２３８ａが形成されている。先端受具２３７と締付ネジ２３８は、後述する先端受具２３９とネジ孔２３９ａと共に連結手段を構成する。
【００２９】
また、可動構成体２３３ａ側の本体係合板２３５とノズル係合板２３４の先端部には、前記先端受具２３７と同様に板体を適宜折曲して形成された先端受具２３９が固着されている。先端受具２３９の先端部には、前記締付ネジ２３８のネジ部２３８ａを螺合するネジ孔２３９ａが貫通して形成されている。
【００３０】
接続固定具２３の可動構成体２３３、２３３ａは、それぞれを閉じ方向へ回動させ、可動構成体２３３側の締付ネジ２３８のネジ部２３８ａを可動構成体２３３ａ側の先端受具２３９のネジ孔２３９ａに螺合し締め付けることで閉じた状態とすることができる。可動構成体２３３、２３３ａを閉じた状態では、本体係合板２３５の本体係合部２３５ａは、管体２２１の係合凹部２２３に係合し、本体係合部２３５ｂは管体２２１の係合凹部２２４に係合する。
【００３１】
また、水噴霧ノズル３２にアダプター本体２２の接続口２２０を嵌め入れた状態においては、可動構成体２３３、２３３ａを閉じることにより、ノズル係合板２３４のノズル係合部２３４ａが、水噴霧ノズル３２の嵌入部３２１の段部３２２と係合する。これにより、水噴霧ノズル３２と取水ホース２のホース２０先端のノズル接続アダプター２１を水密状態で機械的に接続することができる。
【００３２】
なお、可動構成体２３３、２３３ａを連結する連結手段としては、比較的単純な作業で連結と連結解除を行うことができるものであれば、本実施の形態のネジ式の他、例えばキャッチクリップと称されるクリップ又はクランプ等の各種固定装置を採用することもできる。
【００３３】
主に図４、図５を参照して、噴霧量測定装置Ａの構成について説明する。
噴霧量測定装置Ａは、流量測定器１と、トンネル内水噴霧装置３の水噴霧ノズル３２と流量測定器１の給水管１２、１２ａ、１２ｂをつなぐ取水ホース２を備えている。
取水ホース２は、ホース２０の一端に接続が簡単にできる差込み式の接続具２５を介して前記ノズル接続アダプター２１が取り付けられ、ホース２０の他端に後述する流量測定器１の各給水管１２、１２ａ、１２ｂの接続具１２１に接続する接続具２４が取り付けられている構造である。なお、本実施の形態では、噴霧水の流れを確認できるようにホース２０に透明ホースを採用している。
【００３４】
流量測定器１は、本実施の形態では堰式の流量測定器であり、水槽内を堰方向（排水側）へ流れる水の水位の計測値をもとに流量を測定するものである。流量測定器１の各部寸法は、「JIS B8302 ポンプ吐出し量測定方法」に記載されている直角三角堰の寸法に準拠している。なお、流量測定器１は、この方式に限定するものではなく、例えばベンチュリ式、差圧式（オリフィス式）、羽根車式、コリオリ式等、他の方式の流量測定器を採用することもできる。
【００３５】
流量測定器１は、平面視長方形状で上部が開放された水槽１０を有している。水槽１０は、底板１０１、側板１０２、１０３、前板１０４、後部側の堰板１０５を備えている。堰板１０５は、直角三角堰である堰部１０６を有している。前記側板１０２、１０３、前板１０４の上縁部及び堰板１０５の上方に当たる側板１０２、１０３の後端部間には、底板１０１と平行な縁板１０２ａ、１０３ａ、１０４ａ、１０５ａが外側にやや張り出して固定されている。底板１０１の前板１０４近傍には、ドレン管１５が設けられている。符号１５０は栓体である。また、底板１０１の下面側の四隅部には、レベル調整ができる支脚１６が設けられている。
【００３６】
水槽１０の前板１０４寄りの側板１０２、１０３上部には、縁板１０２ａ、１０３ａ間に架け渡して支持部材１１が固定されている。支持部材１１は、細長い板体で四角形の枠状に形成され、底板１０１と平行に固定されている。支持部材１１には、Ｕ字状の締付固定具１２０によって、三本の給水管１２、１２ａ、１２ｂが固定されている。給水管１２、１２ａ、１２ｂは、支持部材１１の前板１０４側に底板１０１に対して直角になるように固定され、それらの下端部は底板１０１からやや浮かせてある（図４参照）。また、給水管１２、１２ａ、１２ｂの上端部には、接続具１２１が設けられている。
【００３７】
水槽１０内において前記給水管１２、１２ａ、１２ｂのやや後方で水槽１０の長さ方向の中間部には、四枚の整流板１４、１４ａ、１４ｂ、１４ｃが取り付けられている。各整流板１４、１４ａ、１４ｂ、１４ｃは、ステンレススチール製の平板に多数の通水孔１４０を形成したパンチングメタルである。各整流板１４、１４ａ、１４ｂ、１４ｃは、底板１０１及び側板１０２、１０３と直角に、かつ水槽１０の長さ方向に一定間隔で相互に平行になるように側板１０２、１０３間に固定具１４１によって固定されている。
【００３８】
各整流板１４、１４ａ、１４ｂ、１４ｃは、水槽１０内に供給される水を多数の通水孔１４０に通すことにより、水槽１０の後部側において水位を安定させることができる。詳しくは、水を多数の通水孔１４０に通すことにより水勢を緩和すると共に水に含まれる泡を消して水位を安定させ、後述する水位センサ１３３によって正確な水位を測定できるようにする。
【００３９】
水槽１０後端部には、流量測定手段である流量測定装置１３が設けられている。流量測定装置１３は、前記堰板１０５の上方の縁板１０５ａ上部に取り付けられ、両端側を軸受１３０で軸支された可動軸１３１を有している。可動軸１３１の中間部には、長さ方向の二箇所で折曲されたアーム部材１３２の基端部が固定されている。アーム部材１３２の先端部には水位センサ１３３が取り付けられている。水位センサ１３３は超音波レベルセンサであり、下方の水面までの距離を測定する。なお、水位センサは、超音波レベルセンサに限定するものではなく、他の方式のレベルセンサを採用することもできる。
【００４０】
また、可動軸１３１の一端側には、バランスロッド１３４の基端部が固定されており、その先端部にはウエイト１３５が固定されている。バランスロッド１３４は、ウエイト１３５の重さによって常に鉛直方向を向くようになっている。なお、前記水位センサ１３３のセンシング方向は、バランスロッド１３４と平行になるように設定されている。
【００４１】
これにより、水位センサ１３３のセンシング方向は、常に水面と直角方向であり、水位センサ１３３は水面との最短距離を測定することができる。なお、水槽１０が設置時に多少傾いても、可動軸１３１とアーム部材１３２及びバランスロッド１３４はバランスロッド１３４が鉛直方向を向くように一体に回動し、水位センサ１３３のセンシング方向は、常に水面と直角方向となる。このように、トンネル４の勾配の範囲内で流量測定器１が傾いていても安定した流量測定が可能である。
【００４２】
（作用）
図１乃至図５を参照して、ノズル接続アダプター２１及び噴霧量測定装置Ａの作用を説明する。
【００４３】
噴霧量測定装置Ａの流量測定器１は、点検時において、例えばリフト作業車の昇降台やトラックの荷台に載置されて使用される。
図４には、リフト作業車の昇降台６に台１７を載せ、その上に流量測定器１を設置した状態を示している。流量測定器１の後方の昇降台６上には、回収容器５が設置されている。なお、回収容器５にポンプ等の排水設備を備えて、流量測定器１から排出される水をトンネル４の路面側部に設けられている排水溝に排出するようにしてもよい。
【００４４】
トンネル４内に設置されているトンネル内水噴霧装置３は、トンネル４の天井部の所要高さにトンネル４の長さ方向に配管された送水管３０を有している。送水管３０には、一定間隔（通常は５ｍ間隔）で水噴霧部３１が設けられている。各水噴霧部３１は、噴霧方向が異なる複数（通常は２〜３本）の水噴霧ノズル３２（図３に図示）を備えている。
【００４５】
水噴霧ノズル３２は、先端部に噴霧口３２０を有し、外周部に外形が断面六角形状の嵌入部３２１が設けられている。嵌入部３２１の両端部は外表面から突出して段部が形成されており、嵌入部３２１の噴霧口３２０とは反対側の段部３２２には、前記したように可動構成体２３３、２３３ａを閉じることにより、ノズル係合板２３４のノズル係合部２３４ａが係合する。
【００４６】
噴霧水の流量を測定する水噴霧ノズル３２に取水ホース２のノズル接続アダプター２１を接続し、接続具２４を流量測定器１の給水管１２又は給水管１２ａ、１２ｂに接続する。取水ホース２は、水噴霧ノズル３２の数に合わせて使用され、例えば二本が使用される場合もあるし、三本が使用される場合もある。
【００４７】
ノズル接続アダプター２１の接続は、まず、アダプター本体２２の接続口２２０を水噴霧ノズル３２に嵌め入れ、パッキン２２６の内面が水噴霧ノズル３２の断面六形の嵌入部３２１外面に密着させるようにする。
【００４８】
次に、接続固定具２３の可動構成体２３３、２３３ａを閉じ、各本体係合板２３５の本体係合部２３５ａを管体２２１の係合凹部２２３に係合し、本体係合部２３５ｂを係合凹部２２４に係合する。さらに、各ノズル係合板２３４のノズル係合部２３４ａが、水噴霧ノズル３２の嵌入部３２１の段部３２２と係合する。
このように、水噴霧ノズル３２と取水ホース２のホース２０先端のノズル接続アダプター２１を水密状態で機械的に接続することができる。また、接続作業を簡単に行うことができると共に接続部が緩んだりすることなく安定している。
【００４９】
点検対象となる水噴霧部３１に通水を行い、取水ホース２を接続した各水噴霧ノズル３２から水を噴霧する。噴霧された水は各取水ホース２を通り、給水管１２又は給水管１２ａ、１２ｂから水槽１０内部へ供給される。水は、さらに各整流板１４、１４ａ、１４ｂ、１４ｃの多数の通水孔１４０に通ることにより、水槽１０の後部側において水位が安定する。そして、水が継続的に堰部１０６から回収容器５へ排出されることにより、水位がほぼ一定に保たれる。
そして、水位が水位センサ１３３によって測定され、この水位の測定値が流量に換算され、噴霧水の流量が測定される。
【００５０】
また、噴霧量測定装置Ａは、水噴霧設備の水噴霧部３１の１箇所に付き１セットを使用することになり、リフト車（図示省略）等へ必要台数を搭載して測定作業を行うことになる。噴霧量測定装置Ａをリフト車に搭載することで、リフト車の荷台を所定の高さまで上昇させれば荷台内のみでの作業となり、他の高所作業車等が不要となる。また、大型で高額な専用車両と比べて、リフト車を使用できることで汎用性があり、専用車両では点検ができないような狭くて空間的な制限のある箇所における点検作業も可能になる。
【００５１】
なお、噴霧量測定装置Ａを構成する流量測定器としては、前記流量測定器１の他、他の構造の流量測定器を採用することもできる。
図６に示す流量測定器７は、アングル材で枠組みされた基台７９を有している。基台７９の上部の一端側には、消泡タンク７０が立設固定されている。消泡タンク７０は、円管の上下端部を封鎖した構造で、上端部には空気抜き弁７１が設けられている。
【００５２】
消泡タンク７０の上寄りには、縦方向に等間隔で三箇所に給水管７２、７２ａ、７２ｂが設けられている。給水管７２、７２ａ、７２ｂの先端には、それぞれ取水ホース２の接続具２４を接続するための接続具７３が取り付けられている。また、消泡タンク７０の下寄りには、測定管７４が接続されている。測定管７４は、基台７９に基台７９上面と平行に取り付けられており、排出側の端部に接続具７５が取り付けられている。接続具７５には、排水用のホース（図示省略）が接続される。そして、測定管７４の中間部には、測定管７４内を流れる噴霧水の流量を測定する電磁流量計７６が設けられている。
【００５３】
消泡タンク７０は、取水ホース２を接続する給水管７２、７２ａ、７２ｂを上寄りに設け、噴霧水の出口である測定管７４を下寄りに接続することで噴霧水中の空気を除去する構造としている。また、消泡タンク７０の最上部に設けられている空気抜き弁７１からは、空気のみを排出することができる。なお、測定する流量にあわせて適当な外形寸法や高さ寸法を設定することで、流量測定値のばらつきや変動を抑制することが可能である。
なお、流量測定器７を備えた噴霧量測定装置全体としての作用は、流量の測定方法以外は前記噴霧量測定装置Ａと同様であるので、説明は省略する。
【００５４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００５５】
Ａ  噴霧量測定装置
１  流量測定器
１０  水槽
１０１  底板
１０２、１０３  側板
１０２ａ、１０３ａ、１０４ａ、１０５ａ  縁板
１０４  前板
１０５  堰板
１０６  堰部
１１  支持部材
１２、１２ａ、１２ｂ  給水管
１２０  締付固定具
１２１  接続具
１３  流量測定装置
１３０  軸受
１３１  可動軸
１３２  アーム部材
１３３   水位センサ
１３４  バランスロッド
１３５  ウエイト
１４、１４ａ、１４ｂ、１４ｃ  整流板
１４０  通水孔
１４１  固定具
１５  ドレン管
１５０  栓体
１６  支脚
１７  台
２  取水ホース
２０  ホース
２１  ノズル接続アダプター
２２  アダプター本体
２２０  接続口
２２１  管体
２２１ａ  径小部
２２１ｂ  径大部
２２２  フランジ具
２２３  係合凹部
２２４  係合凹部
２２５  嵌入部
２２６  パッキン
２３  接続固定具
２３０  固定台
２３１  固定用ネジ
２３２  軸体
２３３、２３３ａ  可動構成体
２３４  ノズル係合板
２３４ａ  ノズル係合部
２３５  本体係合板
２３５ａ  本体係合部
２３５ｂ  本体係合部
２３６  スペーサ
２３７  先端受具
２３８  締付ネジ
２３８ａ  ネジ部
２３９  先端受具
２３９ａ  ネジ孔
２４、２５  接続具
３  トンネル内水噴霧装置
３０  送水管
３１  水噴霧部
３２  水噴霧ノズル
３２０  噴霧口
３２１  嵌入部
３２２  段部
４  トンネル
５  回収容器
６  昇降台
７  流量測定器
７０  消泡タンク
７１  空気抜き弁
７２、７２ａ、７２ｂ  給水管
７３  接続具
７４  測定管
７５  接続具
７６  電磁流量計
７９  基台
【図１】
2012125347.tif 000003
【図２】
2012125347.tif 000004
【図３】
2012125347.tif 000005
【図４】
2012125347.tif 000006
【図５】
2012125347.tif 000007
【図６】
2012125347.tif 000008